(57)【要約】【課題】  申請した文書を交付するサービスにおいて、交付される文書の印刷出力先を申請元となるユーザが任意に指定することができ、かつ、セキュリティを確保することが可能な情報処理技術を提供する。【解決手段】  文書交付元端末機器と通信可能に接続される申請元端末機器における処理方法であって、文書交付元端末機器より送信される文書を印刷するプリンタより、該プリンタを識別する識別情報を取得する工程（ステップＳ３０２）と、識別情報を付加して（ステップＳ３０３）、文書交付元端末機器に対して文書の送信要求を行う工程（ステップＳ３０４）と、文書交付元端末機器により送信される文書に付加された識別情報が、取得された識別情報と一致する場合に、該識別情報に対応するプリンタに対して、文書についての印刷を指示する工程とを備える。【選択図】  図３
2006099680.tif 000002
【特許請求の範囲】
【請求項１】
格納された情報を要求に応じて送信する情報送信装置と、該情報送信装置と通信可能に接続される情報処理装置と、該情報送信装置より送信される情報を印刷出力する印刷装置とを備える情報印刷システムであって、
前記情報処理装置は、
前記情報送信装置より送信される情報を印刷出力する印刷装置より、該印刷装置を識別する識別情報を取得する取得手段と、
前記識別情報を付加して、前記情報送信装置に対して前記情報の送信要求を行う要求手段と、を備え、
前記印刷装置は、
前記情報送信装置により送信される前記情報に付加された識別情報が、前記取得された識別情報と一致するか否かを判定する判定手段を備え、
前記判定手段により、前記取得された識別情報に一致すると判定された場合に、前記情報処理装置は、該識別情報に対応する前記印刷装置に対して、前記送信された情報についての印刷出力を指示し、前記印刷装置は、該印刷出力の指示に基づいて前記送信された情報について印刷出力することを特徴とする情報印刷システム。
【請求項２】
前記情報送信装置により送信される前記情報には、更に印刷フォーマットに関する情報が付加されており、前記印刷装置は、該印刷フォーマットに関する情報に基づいて前記情報の印刷出力を行うことを特徴とする請求項１に記載の情報印刷システム。
【請求項３】
格納された情報を要求に応じて送信する情報送信装置と通信可能に接続される情報処理装置であって、
前記情報送信装置より送信される情報を印刷出力する印刷装置より、該印刷装置を識別する識別情報を取得する取得手段と、
前記識別情報を付加して、前記情報送信装置に対して前記情報の送信要求を行う要求手段と、
前記情報送信装置により送信される前記情報に付加された識別情報が、前記取得された識別情報と一致すると判定された場合に、該識別情報に対応する前記印刷装置に対して、前記送信された情報についての印刷出力を指示する指示手段と
を備えることを特徴とする情報処理装置。
【請求項４】
前記情報送信装置により送信される前記情報には、更に印刷フォーマットに関する情報が付加されており、前記指示手段は、前記印刷装置に対して、該印刷フォーマットに関する情報に基づいて前記情報の印刷出力を行うよう指示することを特徴とする請求項３に記載の情報処理装置。
【請求項５】
格納された情報を要求に応じて送信する情報送信装置と、該情報送信装置と通信可能に接続される情報処理装置と、該情報送信装置より送信される情報を印刷出力する印刷装置とを備える情報印刷システムであって、
前記印刷装置は、
前記情報処理装置より送信された第１の識別情報を保存する保存手段と、
前記情報処理装置に対して第２の識別情報を返信する返信手段と、を備え、
前記情報処理装置は、
前記第１の識別情報と前記第２の識別情報とに基づいて第３の識別情報を生成し、該第３の識別情報を付加して、前記情報送信装置に対して前記情報の送信を要求する要求手段と、
前記情報送信装置により送信される前記情報に付加された識別情報から、第４の識別情報を抽出し、該抽出された第４の識別情報を前記印刷装置に送信する送信手段と、を備え、
前記印刷装置は、前記保存手段に保存された前記第１の識別情報と、前記送信手段により送信された前記第４の識別情報とを照合し、一致する場合に、前記情報処理装置からの指示に基づいて、前記情報を受信し、印刷出力することを特徴とする情報印刷システム。
【請求項６】
前記情報処理装置は、
前記第１の識別情報と前記第２の識別情報との排他的論理和により前記第３の識別情報を生成し、前記情報送信装置により送信される前記情報に付加された識別情報と前記第２の識別情報との排他的論理和により前記第４の識別情報を抽出することを特徴とする請求項５に記載の情報印刷システム。
【請求項７】
格納された情報を要求に応じて送信する情報送信装置と、該情報送信装置と通信可能に接続される情報処理装置と、該情報送信装置より送信される情報を印刷出力する印刷装置とを備える情報印刷システムにおける情報処理方法であって、
前記情報処理装置において、
前記情報送信装置より送信される情報を印刷出力する印刷装置より、該印刷装置を識別する識別情報を取得する取得工程と、
前記識別情報を付加して、前記情報送信装置に対して前記情報の送信要求を行う要求工程と、を備え、
前記印刷装置において、
前記情報送信装置により送信される前記情報に付加された識別情報が、前記取得された識別情報と一致するか否かを判定する判定工程を備え、
前記判定工程により、前記取得された識別情報に一致すると判定された場合に、前記情報処理装置は、該識別情報に対応する前記印刷装置に対して、前記送信された情報についての印刷出力を指示し、前記印刷装置は、該印刷出力の指示に基づいて、前記送信された情報について印刷出力することを備えることを特徴とする情報処理方法。
【請求項８】
格納された情報を要求に応じて送信する情報送信装置と通信可能に接続される情報処理装置における情報処理方法であって、
前記情報送信装置より送信される情報を印刷出力する印刷装置より、該印刷装置を識別する識別情報を取得する取得工程と、
前記識別情報を付加して、前記情報送信装置に対して前記情報の送信要求を行う要求工程と、
前記情報送信装置により送信される前記情報に付加された識別情報が、前記取得された識別情報と一致すると判定された場合に、該識別情報に対応する前記印刷装置に対して、前記送信された情報についての印刷出力を指示する指示工程と
を備えることを特徴とする情報処理方法。
【請求項９】
格納された情報を要求に応じて送信する情報送信装置と、該情報送信装置と通信可能に接続される情報処理装置と、該情報送信装置より送信される情報を印刷出力する印刷装置とを備える情報印刷システムにおける情報処理方法であって、
前記印刷装置において、
前記情報処理装置より送信された第１の識別情報を保存する保存工程と、
前記情報処理装置に対して第２の識別情報を返信する返信工程と、を備え、
前記情報処理装置において、
前記第１の識別情報と前記第２の識別情報とに基づいて第３の識別情報を生成し、該第３の識別情報を付加して、前記情報送信装置に対して前記情報の送信を要求する要求工程と、
前記情報送信装置により送信される前記情報に付加された識別情報から、第４の識別情報を抽出し、該抽出された第４の識別情報を前記印刷装置に送信する送信工程と、を備え、
前記印刷装置において、前記保存工程により保存された前記第１の識別情報と、前記送信工程により送信された前記第４の識別情報とを照合し、一致する場合に、前記情報処理装置からの指示に基づいて、前記情報を受信し、印刷出力することを特徴とする情報処理方法。
【請求項１０】
請求項８に記載の情報処理方法をコンピュータによって実現させるための制御プログラムを格納した記憶媒体。
【請求項１１】
請求項８に記載の情報処理方法をコンピュータによって実現させるための制御プログラム。
【発明の詳細な説明】
【技術分野】
【０００１】
本発明は、公衆電気通信網を介して行われる各種データの交付の申請に対して、同通信網を介して交付されたデータを印刷出力するシステムにおけるセキュリティ技術に関するものである。より詳しくはインターネット等の公衆電気通信網を介してデータの交付元に対してデータの交付を申請し、インターネット等の公衆電気通信網を介して交付されたデータを印刷出力することが可能なシステムにおけるセキュリティ技術に関するものである。
【背景技術】
【０００２】
近年、インターネット等の公衆電気通信網を介して各種文書の交付を申請し、当該文書の交付元が公衆電気通信網を介して当該申請内容に応じた各種文書を申請元に交付し、当該交付文書を印刷出力させることで、当該交付文書の申請者による利用を可能にするサービスが提供されるようになってきている。
【０００３】
特に、コンビニエンスストアなどの店舗、あるいは公共施設などには多機能印刷装置やマルチメディア端末等が設置されており、上記サービスはこれらの装置・端末を利用することで実現されている。
【０００４】
例えば、公衆電気通信網を介してこれらの装置・端末から行われた文書交付の申請に対して、交付元となる中央のホストコンピュータが、当該コンピュータで管理している文書を公衆電気通信網を介して交付し、各所に点在する店舗、あるいは公共施設に設置された上記装置・端末から印刷出力させることで、当該交付文書を発行する文書発行サービスが一般に知られている。
【０００５】
しかし、文書発行サービスを実現するシステムにおいては、公衆電気通信網を介してデータの送受信が行われるため、セキュリティ上の問題が内在している。このため、例えば、交付されたデータの印刷出力は所定の拠点のみにおいて行い、交付元となる中央のホストコンピュータが印刷出力を管理するようにすることで、公衆電気通信網からのデータの漏洩による偽造等の不正を防ぐようにしている。また、セキュリティを確保すべく、交付を希望する文書を申請する際には、申請者に対していくつかの情報を入力することを強要している。
【０００６】
しかし、各種文書の交付の申請を店舗や施設等の公共の場で行う場合には、入力する情報を盗み見される可能性がある。また、多数の申請者がこれらのサービスを使用する場合には、店舗や施設等が混雑することも予想される。
【０００７】
そこで、このような問題点を解決すべく、例えば、下記特許文献１では申請時に入力すべき事項をユーザＩＤとして管理することで、入力作業の簡略化を実現する方法が提案されている。さらに、最近では、申請者が店舗や施設等に足を運ばなくても、各種文書の交付の申請を申請者自身の端末機器から行うシステムが提案されてきている。
【０００８】
このようなシステムによれば、申請者は交付された文書の印刷出力を受け取るときだけ、店舗や施設等の拠点に赴けばよいこととなる。例えば、コンサート等のチケットを申請者の端末機器から公衆電気通信網を介して申請した後、コンビニエンスストア等に赴いて、その印刷出力としてのチケットを入手するといったことが可能となる。
【特許文献１】特開２００２−１７５２４１号公報
【発明の開示】
【発明が解決しようとする課題】
【０００９】
しかしながら、上記システムを用いた場合であっても、申請者が交付文書を受け取るためには、多機能印刷装置の存在するコンビニエンスストア等の店舗や各種施設等の拠点まで赴いていかなければならないという煩わしさは残ったままである。また、このようなサービスが充実してくるにつれて、さらに多数の申請者が各拠点に赴くようになるため、今まで以上に混み合う可能性がでてくる。従って、申請時のみならず印刷出力時においても、セキュリティは確保されつつ、所定の拠点に赴くことなく交付文書を受け取れるようにすることが望ましい。
【００１０】
本発明は、上記課題を解決するためになされたものであり、申請された文書をユーザに交付するサービスにおいて、交付される文書の印刷出力先を申請元となるユーザが任意に指定することができ、かつ、セキュリティを確保することが可能な情報処理技術を提供する。
【課題を解決するための手段】
【００１１】
上記の目的を達成するために本発明に係る情報処理装置は以下のような構成を備える。即ち、
格納された情報を要求に応じて送信する情報送信装置と通信可能に接続される情報処理装置であって、
前記情報送信装置より送信される情報を印刷出力する印刷装置より、該印刷装置を識別する識別情報を取得する取得手段と、
前記識別情報を付加して、前記情報送信装置に対して前記情報の送信要求を行う要求手段と、
前記情報送信装置により送信される前記情報に付加された識別情報が、前記取得された識別情報と一致すると判定された場合に、該識別情報に対応する前記印刷装置に対して、前記送信された情報についての印刷出力を指示する指示手段とを備える。
【発明の効果】
【００１２】
申請された文書をユーザに交付するサービスにおいて、交付される文書の印刷出力先を申請元となるユーザが任意に指定することができ、かつ、セキュリティを確保することが可能となる。
【発明を実施するための最良の形態】
【００１３】
以下、必要に応じて添付図面を参照しながら本発明の各実施形態を詳細に説明する。
【００１４】
［第１の実施形態］
＜文書印刷システムの概要＞
図１は本発明の第１の実施形態にかかる文書印刷システム（情報印刷システム）の概要を示した図である。同図に示すように、本実施形態にかかる文書印刷システムは、交付文書印刷用プリンタ１０３（印刷装置）と、申請元端末機器１０１（情報処理装置）と、文書交付元端末機器１０２（情報送信装置）とを備え、申請元端末機器１０１と文書交付元端末機器とは公衆電気通信網１０４を介して接続されている。また、申請元端末機器１０１と交付文書印刷用プリンタ１０３も通信可能に接続され、申請元端末機器１０１からは制御信号（ｉｉｉ）が、交付文書印刷用プリンタからはプリンタ送信データ（ｉｖ）がそれぞれ送信される。なお、制御信号（ｉｉｉ）及びプリンタ送信データ（ｉｖ）は、それぞれ申請元端末機器１０１及び交付文書印刷用プリンタから送信される各種信号（例えば、印刷指示、交付文書、指示フォーマット情報、プリンタ識別情報、照合結果等）をそれぞれ総称したものであり、詳細は後述するものとする。
【００１５】
申請元端末機器１０１は文書交付の申請のための申請元端末機器送信データ（ｉ）をインターネット等の公衆電気通信網１０４を介して文書交付元端末機器１０２に送信する。このときの申請元端末機器送信データ（ｉ）には、相手先からの交付文書を印刷する交付文書印刷用プリンタ１０３を特定するための、プリンタ識別情報（プリンタＩＤ番号）が付加されている。
【００１６】
図２（Ａ）は申請元端末機器１０１が送信する申請元端末機器送信データ（ｉ）の一例を示したものである。同図に示すように申請データ２００にプリンタ識別情報（プリンタＩＤ番号）２０１が付加されている。
【００１７】
文書交付元端末機器１０２は、申請データ２００の内容に基づいて生成された交付文書を含む文書交付元端末機器送信データ（ｉｉ）を、公衆電気通信網１０４を介して申請元端末機器１０１に対して送信する。
【００１８】
図２（Ｂ）は申請元端末機器１０１に対して送信する文書交付元端末機器送信データ（ｉｉ）の一例を示したものであり、交付文書２０２には、申請元端末機器１０１が付加したプリンタ識別情報２０１が付加されている。なお、同図に示すように交付文書２０２については指定フォーマット情報２０３が付加されていることもある。
【００１９】
申請元端末機器１０１により受信された文書交付元端末機器送信データ（ｉｉ）よりプリンタ識別情報２０１が交付文書印刷用プリンタ１０３に転送されると、交付文書印刷用プリンタ１０３内ではプリンタ識別情報２０１と、プリンタ自身が保持しているプリンタ識別情報との照合を行う。照合結果は申請元端末機器１０１に送信され、申請元端末機器１０１において当該照合結果よりプリンタ識別情報２０１とプリンタ自身が保持しているプリンタ識別情報とが一致していると判定された場合には、交付文書印刷用プリンタ１０３に対して交付文書２０２の印刷指示がなされ、交付文書印刷用プリンタ１０３において交付文書２０２の印刷出力が実行される。
【００２０】
なお、交付文書２０２に指定フォーマット情報２０３が付加されていた場合には、申請元端末機器１０１からの印刷指示がなされた際、内蔵しているフォーマット情報の中から指定フォーマット情報２０３の指定に基づくフォーマットを抽出し、当該フォーマットにより交付文書２０２の印刷出力を行う。
【００２１】
図２（Ｃ）は交付文書印刷用プリンタ１０３から印刷出力された交付文書２０２の概要を示したものである。同図において、２０４は紙であり、２０５は交付文書の内容である。２０６は指定された特殊フォーマットを示したものである。
【００２２】
＜交付文書印刷用プリンタの構成＞
図７は本実施形態にかかる交付文書印刷用プリンタ１０３の機能ブロック図を示したものである。７００は本体を示している。７０１は申請元端末機器１０１とのインターフェイス制御部（Ｉ／Ｆ制御部）を示しており、申請元端末機器１０１とのデータの送受信を制御する。
【００２３】
７０２はプリンタ識別情報保持部であり、プリンタ個別の番号であるプリンタ識別情報（プリンタＩＤ番号）が保持されている。７０３はフォーマット情報保持部であり、申請元端末機器１０１がフォーマットを指定してきた場合に当該フォーマット情報保持部７０３に格納してある特殊フォーマットが呼び出される。７０４はプリンタ識別情報処理部であり、申請元端末機器１０１から送られてきたプリンタ識別情報２０１とプリンタ識別情報保持部７０２に格納されているプリンタ識別情報とを比較し、照合を行う。
【００２４】
７０５はフォーマット情報処理部であり、申請元端末機器１０１が指定したフォーマットを解析し、フォーマット情報保持部７０３から特殊フォーマットを呼び出す。７０６はプリンタ制御部であり、Ｉ／Ｆ制御部７０１を通じて受信した交付文書およびプリント識別情報処理部７０４、フォーマット情報処理部７０５からの情報を元に、プリンタエンジン７０７およびＩ／Ｆ制御部７０１に対して所定の制御を行う。７０７はプリンタエンジンであり、プリンタ制御部７０６からの信号に基づき、印字動作を行う。
【００２５】
＜申請元端末機器における処理の流れ（申請時）＞
図３は交付文書印刷用プリンタ１０３のホストである申請元端末機器１０１が、プリンタ識別情報を付加し、公衆電気通信網１０４を介して申請元端末機器送信データ（ｉ）を送信する手順を示したフローチャートである。
【００２６】
申請元端末機器１０１は交付文書印刷用プリンタとして指定可能なプリンタが接続されている場合には、ステップＳ３０１で当該プリンタに対して、プリンタ識別情報を要求する。この要求に応じてプリンタでは、自身のプリンタ識別情報を申請元端末機器１０１に対して送信する。
【００２７】
ステップＳ３０２では、交付文書印刷用プリンタから送信されてきたプリンタ識別情報を取得する。ステップＳ３０３では申請元端末機器１０１が公衆電気通信網１０４を介して文書交付元端末機器１０２に送信する申請データに対して、プリンタ識別情報を付加する。この動作により、図２（Ａ）の申請元端末機器送信データ（ｉ）が完成する。
【００２８】
ステップＳ３０４では、プリンタ識別情報が付加された申請元端末機器送信データ（ｉ）を送信する。これにより、申請元端末機器送信データ（ｉ）は文書交付元端末機器１０２へと送信される。
【００２９】
＜文書交付元端末機器における処理の流れ＞
図４は文書交付元端末機器１０２が、文書交付元端末機器送信データ（ｉｉ）を送信するまでの手順を示したフローチャートである。ステップＳ４０１では、申請元端末機器１０１から送られてきた申請元端末機器送信データ（ｉ）を受信する。ステップＳ４０２では受信した申請元端末機器送信データ（ｉ）に基づき、交付文書を作成する。
【００３０】
ステップＳ４０３では、申請元端末機器送信データ（ｉ）に含まれているプリンタ識別情報（プリンタＩＤ番号）を、交付文書に付加する。ステップＳ４０４では、プリンタにおいて当該交付文書を印刷出力する際のフォーマットを指定すべく、指定フォーマット情報を付加する。
【００３１】
ステップＳ４０５では、生成された文書交付元端末機器送信データ（ｉｉ）を、申請元である申請元端末機器１０１に対して送信する。以上の一連の処理により文書交付元端末機器１０２は申請元端末機器１０１に対して交付文書を送信することになる。
【００３２】
＜申請元端末機器における処理の流れ（印刷出力時）＞
図５は公衆電気通信網１０４を介して送られてきた文書交付元端末機器送信データ（ｉｉ）を申請元端末機器１０１が受信し、交付文書の印刷出力を指示するまでの手順を示したものである。
【００３３】
ステップＳ５０１では、公衆電気通信網１０４を介してプリンタ識別情報を含んだ文書交付元端末機器送信データ（ｉｉ）を受信し、プリンタ識別情報を取得する。
【００３４】
ステップＳ５０２では、交付文書を印刷するために、交付文書印刷用プリンタ１０３を特殊印字モード（交付文書を印刷するモード。プリンタ識別情報を照合しないで印刷する通常印字とは異なるモード）に設定する。この操作により、交付文書印刷用プリンタ１０３ではプリンタ識別情報を照合して印刷する特殊印字モードへと切り替わる。
【００３５】
ステップＳ５０３では、交付文書印刷用プリンタ１０３に対して、交付文書２０２に付加されているプリンタ識別情報２０１を送信する。交付文書印刷用プリンタ１０３では送信されてきたプリンタ識別情報２０１（プリンタＩＤ番号）と、プリンタ自身が保持しているプリンタ識別情報（プリンタＩＤ番号）との照合を行う。交付文書印刷用プリンタ１０３からの照合結果は申請元端末機器１０１に送信され、申請元端末機器１０１において当該照合結果に基づいてプリンタ識別情報が一致していると判定された場合には、照合ＯＫとしてステップＳ５０５に進み、特殊印字（特殊印字モードによる印刷出力）の指示をする。一方、プリンタ識別情報が一致していないと判定された場合には、照合ＮＧとしてステップＳ５０６に進み、エラー処理を行う。この際、印刷出力の指示は行わない。
【００３６】
＜交付文書印刷用プリンタにおける状態遷移＞
図６は交付文書印刷用プリンタ１０３の状態遷移を示したものである。状態Ｓ６０１はアイドル状態であり、交付文書印刷用プリンタ１０３のホストである申請用端末機器１０１からの印刷出力指示の受付待ちの状態を示している。
【００３７】
状態Ｓ６０２は通常印字（プリンタ識別情報を照合しない場合での印刷）を行っている状態を示しており、申請元端末機器１０１からの通常印刷指示により印刷動作を行う。印刷が終了すると、再び状態Ｓ６０１のアイドル状態へと遷移する。
【００３８】
状態Ｓ６０３は申請元端末機器１０１からプリンタ識別情報の要求を受信した場合に遷移する。申請元端末機器１０１に対してプリンタ識別情報を送信した後、再び状態Ｓ６０１のアイドル状態へと遷移する。これは、申請元端末機器１０１が申請データを作成するにあたり、交付文書印刷用プリンタ１０３からプリンタ識別情報を取得する場合に遷移する。
【００３９】
状態Ｓ６０４は申請元端末機器１０１より特殊印字モードの設定指示を受け取ることで遷移した特殊印字モードの状態である。状態Ｓ６０４において、申請元端末機器１０１からプリンタ識別情報が送信されると、状態Ｓ６０５の照合状態へと遷移する。状態Ｓ６０５は申請元端末機器１０１から送信されたプリンタ識別情報と交付文書印刷用プリンタ１０３が持っているプリンタ識別情報との照合を行う状態である。
【００４０】
送信されてきたプリンタ識別情報とプリンタ自身が保持しているプリンタ識別情報とが一致すれば、交付文書印刷用プリンタ１０３は申請元端末機器１０１に対して照合ＯＫの信号を送信する。そして、交付文書は印刷出力可となり特殊印字を行う状態Ｓ６０６へと遷移する。また、一致しなかった場合においては、交付文書印刷用プリンタ１０３は照合ＮＧの信号を申請元端末機器１０１へと送信する。その場合には、交付文書は印刷出力不可となり、再び状態Ｓ６０１のアイドル状態へと遷移することになる。
【００４１】
状態Ｓ６０６は特殊印字を行う状態であり、申請元端末機器１０１から指定された特殊印字指示により、印刷出力を行う状態である。印刷出力が終了したら、再び状態Ｓ６０１の状態へと遷移する。
【００４２】
以上の説明から明らかなように、本実施形態にかかる文書印刷システムでは、交付文書申請時に、申請元端末機器１０１がプリンタ識別情報を付加して文書交付元端末機器１０２に対して申請元端末機器送信データ（ｉ）を送信する一方、文書交付元端末機器１０２では交付文書を交付するにあたり、当該プリンタ識別情報を付加して送信する。さらに、申請元端末機器１０１では、交付文書印刷用プリンタの有するプリンタ識別情報と、交付文書に付加されて送信されたプリンタ識別情報とが一致すると判定された場合にのみ、当該交付文書印刷用プリンタに印刷指示をする。
【００４３】
これにより、機密情報等の文書の交付を申請し、当該交付文書がインターネットやその他の公衆電気通信網において漏洩した場合であっても、交付文書に付加されたプリンタ識別情報を有するプリンタを所有していない限り、印刷出力することができないため、セキュリティを高く保つことが可能となる。
【００４４】
また、本実施形態にかかる文書印刷システムでは、申請者は申請元端末機器を介して該申請元端末機器に接続されている任意のプリンタを交付文書印刷用プリンタとして指定できるため、印刷出力された文書の受け取りのために特定の拠点に赴く必要性がなくなることとなる。この結果、今後、各種サービスが多様化してきた場合においても、拠点の混雑による非効率化や拠点に赴くための煩わしさを回避できる。
【００４５】
なお、本実施形態では、プリンタ識別情報（プリンタＩＤ番号）は申請元端末機器１０１と交付文書印刷用プリンタ１０３との間の通信により取得することとしたが、これに限られず、申請元端末機器１０１の操作部より申請者が手入力にて指定するようにしてもよい。
【００４６】
［第２の実施形態］
上記第１の実施形態では、申請元端末機器と文書交付元端末機器とのデータの送受信において、プリンタ識別情報を付加することとしたが、本発明はこれに限られない。本実施形態では、所定のパスワードを付加する場合について説明する。
【００４７】
＜文書印刷システムの概要＞
図８は本発明の第２の実施形態にかかる文書印刷システムの概要を示したものである。同図に示すように、本実施形態にかかる文書印刷システムも、交付文書印刷用プリンタ８０３（印刷装置）と、申請元端末機器８０１（情報処理装置）と、文書交付元端末機器８０２（情報送信装置）とを備え、申請元端末機器８０１と文書交付元端末機器とは公衆電気通信網８０４を介して接続されている。また、申請元端末機器８０１と交付文書印刷用プリンタ８０３も通信可能に接続され、申請元端末機器８０１からは制御信号（ｉｉｉ）が、交付文書印刷用プリンタからはプリンタ送信データ（ｉｖ）がそれぞれ送信される。なお、制御信号（ｉｉｉ）及びプリンタ送信データ（ｉｖ）は、それぞれ申請元端末機器１０１及び交付文書印刷用プリンタから送信される各種信号（例えば、パスワード１、受付番号、パスワード１’、プリント制御信号、照合結果等）をそれぞれ総称したものであり、詳細は後述するものとする。
【００４８】
申請元端末機器８０１では、申請者が申請データを作成し、文書交付元端末機器８０２に対して申請元端末機器送信データ（ｉ）の送信を行う。交付文書印刷用プリンタ８０３では申請元端末機器８０１が交付文書を受信したときに、当該交付文書を印刷する。
【００４９】
文書の申請と交付、および印刷出力についての概略は次の手順で行われる。申請元端末機器８０１においては文書申請のための申請元端末機器送信データ（ｉ）をインターネット等の公衆電気通信網８０４を介して文書交付元端末機器８０２に送信する。このときの申請元端末機器送信データ（ｉ）には、交付文書を印刷出力するための交付文書印刷用プリンタを特定するためのパスワードが付加されている。
【００５０】
申請元端末機器８０１が送信する申請元端末機器送信データは、図２（Ａ）と同様の構成であり、文書申請に必要な申請データ２００に対して、プリンタ識別情報２０１に代わってパスワードが付加されることとなる。
【００５１】
文書交付元端末機器８０２では、申請元端末機器送信データ（ｉ）の内容に基づいて、公衆電気通信網８０４を介して文書交付元端末機器送信データ（ｉｉ）を申請元端末機器８０１に送信する。
【００５２】
申請元端末機器８０１に対して交付した文書交付元端末機器送信データ（ｉｉ）は図２（Ｂ）と同様の構成であり、交付文書２０２に加えて申請データ送信時のヘッダであるパスワードがプリンタ識別情報２０１に代わって付加されている。
【００５３】
＜文書印刷システムにおける処理の流れ＞
図９は本実施形態にかかる文書印刷システムの一連の処理の流れを示したものである。申請元端末機器８０１は、交付文書を印刷するための交付文書印刷用プリンタ８０３に対してパスワード１を転送する。これを受けて、交付文書印刷用プリンタ８０３ではそのパスワード１に対応したパスワード特定情報となる受付番号を申請元端末機器８０１に返信する。
【００５４】
申請元端末機器８０１では、送信したパスワード１と受付番号とからパスワード２を生成する。そして、申請者が作成した申請データとパスワード２とを公衆電気通信網８０４を介して文書交付元端末機器８０２へ送信する。図２（Ａ）においてプリンタ識別情報に代わって付加されるパスワードはここで生成されたパスワード２である。
【００５５】
文書交付元端末機器８０２では、交付文書と申請データに含まれているパスワード２をパスワード２’として付加した上で再び申請元端末機器８０１へと公衆電気通信網８０４を介して送信する。図２（Ｂ）においてプリンタ識別情報に代わって付加されるパスワードはパスワード２’である。
【００５６】
申請元端末機器８０１では、受信したパスワード２’からパスワード１’を生成し、生成したパスワード１’を交付文書印刷用プリンタ８０３に転送する。交付文書印刷用プリンタ８０３ではパスワード１とパスワード１’を照合した後にその照合結果を申請元端末機器８０１に返信する。
【００５７】
申請元端末機器８０１において照合結果が一致していると判定された場合には、交付文書を交付文書印刷用プリンタ８０３に送信し、交付文書印刷用プリンタ８０３では当該交付文書の印刷出力を行う。交付文書印刷用プリンタ８０３では印刷終了後に印刷終了信号を申請元端末機器８０１に返送することで、交付文書の印刷出力を完了する。
【００５８】
＜申請元端末機器の構成＞
図１０は申請元端末機器８０１の構成ならびにデータの流れを示したものである。１０００は本体を示す。１００１は申請データ送信部であり、申請元端末機器送信データ（ｉ）を公衆電気通信網８０４に対して出力する機能を有している。
【００５９】
１００３は申請データの作成あるいはパスワード入力を行うためのユーザ情報入力部を示しており、キーボード等のユーザインターフェイスである。１００４はパスワード２生成部であり、申請データに付加するために必要なパスワード２を生成する機能を有し、ハードウェアあるいはソフトウェアにより演算を行い、パスワード２を生成する。
【００６０】
１００７はユーザが申請データに対して入力したパスワード１を一時保存するパスワード１保存部であり、ＥＥＰＲＯＭやフラッシュメモリ、ＲＡＭ等のメモリを備える。パスワード１の保存が完了すると、交付文書印刷用プリンタ８０３に送信するためのパスワード１設定信号（３）を生成する。
【００６１】
１００５、１００６は入力されたパスワード２保存部および受付番号保存部であり、ＥＥＰＲＯＭやフラッシュメモリ等が使用される。１０１０はモニタ等の表示部である。１０１１はプリンタ受信データ解析部であり、交付文書印刷用プリンタ８０３から送信されてきたプリンタ送信データ（ｉｖ）を解析し、受付番号（４）とプリンタステータス信号（５）へとセレクトして出力する。
【００６２】
１００２は公衆電気通信網から文書交付元端末機器送信データ（ｉｉ）を受信するための交付文書データ受信部である。ここでは、受信した文書交付元端末機器送信データから、パスワード２’と交付文書とを解析し、パスワード２’をパスワード１’生成部１００８へ、交付文書をプリントデータコントロール部１００９へと転送する。
【００６３】
１００８はパスワード１’生成部であり、１００２からパスワード２’が送信されるとパスワード保存部１００５に保存してあるパスワード２と照合し、一致したパスワード２に対応する受付番号を読み出した上で、パスワード２’からパスワード１’信号（２）を生成する。
【００６４】
１００９はプリントデータコントロール部であり、プリンタステータス信号（５）に応じて交付文書よりプリンタ制御信号（１）を作成し、プリンタ送信データ作成部１０１２へと転送する。１０１２はプリンタ送信データ作成部であり、パスワード１設定信号（３）、パスワード１’信号（２）あるいはプリンタ制御信号（１）を制御信号（ｉｉｉ）として交付文書印刷用プリンタ８０３へ送信する。
【００６５】
＜交付文書印刷用プリンタの構成＞
図１１は本実施形態にかかる文書印刷システムに用いられる交付文書印刷用プリンタ８０３の構成ならびにデータの流れを示したものである。１１０１は申請元端末機器８０１からの制御信号（ｉｉｉ）を受信し、該制御信号（ｉｉｉ）を解析する受信データ解析部である。受信データ解析部１１０１では、受信した制御信号（ｉｉｉ）をプリンタ制御信号（１）、パスワード１’信号（２）、パスワード１設定信号（３）の３種類として解析を行い、受信した制御信号（ｉｉｉ）がプリンタ制御信号（１）であった場合にはプリンタ制御部１１０７へ、パスワード１’信号（２）であった場合にはパスワード比較部１１０５へ、パスワード１設定信号（３）であった場合には、パスワード１保存部１１０３へとそれぞれのデータの転送先をセレクトする機能を有している。
【００６６】
１１１２は送信データ生成部であり、申請元端末機器８０１に対して送信するためのプリンタ送信データ（ｉｖ）を生成する。ここでは、受付番号（４）、あるいはプリンタステータス信号（５）のいずれかを申請元端末機器８０１に対して転送する。
【００６７】
１１０３はパスワード１保存部であり、パスワード１設定信号（３）が転送されてきた場合に、送られてきたパスワード１を保存する。パスワード１保存部１１０３では、パスワード１を保存した際に、それをプリンタ制御部１１０６へと知らせるためのパスワード保存完了信号（６）を発生させる。
【００６８】
１１０５はパスワード比較部であり、パスワード１’信号（２）が送られてきた場合に、パスワード１保存部１１０３に保存されているパスワード１と比較、照合を行う。また、その結果をパスワード照合信号（８）としてプリンタ制御部１１０６へと転送する機能も有している。
【００６９】
１１０４は受付番号発生部であり、プリンタ制御部１１０６からの受付番号発生トリガ信号（７）により、受付番号を生成する。また、プリンタ制御部１１０６においては、プリンタ制御信号（１）に基づきプリンタ制御動作を行うため、交付文書印刷用プリンタ８０３へ送られてくるプリンタ制御信号にしたがって図示していないプリンタエンジンを制御することで、印刷動作を制御する。これらの機能はハードウェアおよびソフトウェアを伴うことにより実現する。
【００７０】
＜申請元端末機器及び交付文書印刷用プリンタにおける各部の処理の流れ＞
図１０、図１１を用いて申請時および印刷出力時の流れを説明することとする。交付文書を申請するにあたっては、ユーザ情報入力部１００３により申請者は申請する文書に対応したパスワード１を入力する。入力されたパスワードはパスワード１保存部１００７により保存された後、パスワード１設定信号（３）としてプリンタ送信データ作成部１０１２へと転送される。そして、プリンタ送信データ作成部１０１２からはパスワード１設定信号が交付文書印刷用プリンタ８０３に対して送信される。
【００７１】
交付文書印刷用プリンタ８０３においてはパスワード１設定信号（３）を受信し、Ｉ／Ｆ受信データ解析部１１１１で解析された後にパスワード１保存部１１０３へ転送され、保存される。そして、パスワード１が保存されるとパスワード１保存完了信号（６）が発生しプリンタ制御部１１０６へと転送される。プリンタ制御部１１０６では申請のためのパスワード１を受信すると、そのパスワード１に対応した受付番号を生成するための、受付番号生成トリガ信号（７）を発生する。これをトリガとして受付番号発生部１１０４により受付番号（４）を生成し、これを送信データ生成部１１１２を介して申請を行う申請元端末機器８０１へと転送する。
【００７２】
再び申請元端末機器８０１においては、交付文書印刷用プリンタ８０３から送信されてきたデータを解析し、プリンタ受信データ解析部１０１２により解析された後に受付番号（４）として、受付番号保存部１００８へと転送され、保存される。その後、受付番号はパスワード２生成部１００４に送られ、パスワード保存部１００７に保存してあるパスワード１と演算処理を行うことにより、交付文書の申請時に申請データに付加されるパスワード２を作成する。
【００７３】
図１３はパスワード１および受付番号からパスワード２を生成する様子の一例を示したものである。パスワード１（１３０１）は申請元端末機器８０１において、ユーザ情報入力部１００３より設定をしたものである。受付番号（１３０２）は、パスワード１を交付文書印刷用プリンタ８０３が受信したときに発生したものである。受付番号（１３０２）が交付文書印刷用プリンタ８０３から申請元端末機器８０１に転送され、保存された後、パスワード１と受付番号によりパスワード２（１３０３）が生成される。本実施形態においては、式（１）のようにパスワード１（１３０１）と受付番号（１３０２）をＸＯＲすることにより生成している。
パスワード２  ＜＝  （パスワード１）  ＸＯＲ  （受付番号）・・・式（１）
パスワード２が生成されると、ユーザは申請文書作成部１００３により、交付文書を申請するための申請データを作成した後に、パスワード２生成部１００４により作成されたパスワード２を付加することにより申請データ送信部１００１に送られる。申請データ送信部１００１では図２（Ａ）に示す構成を有する申請元端末機器送信データ（ｉ）を生成し、インターネット等の公衆電気通信網８０４を介して文書交付元端末機器８０２へと送信する。
【００７４】
＜申請元端末機器の処理の流れ（申請時）＞
図１２は申請元端末機器送信データ（ｉ）を送信するまでの申請元端末機器８０１の動作手順を示したフローチャートである。ステップＳ１２０１では、申請者が文書に対して任意のパスワード１を設定し、申請元端末機器８０１に保存する。ステップＳ１２０２では、保存されたパスワード１を交付文書印刷用プリンタ８０３に対して送信する。
【００７５】
ステップＳ１２０３では交付文書印刷用プリンタ８０３において生成された受付番号を受信する。ステップＳ１２０４では、受付番号を保存し、ステップＳ１２０５で申請データのパスワード２を生成する。ステップＳ１２０６では申請者が申請データを作成した後に、ステップＳ１２０７で文書交付元端末機器８０２に対して申請元端末機器送信データ（ｉ）を送信する。
【００７６】
＜申請元端末機器の処理の流れ（印刷出力時）＞
次に、文書交付元端末機器８０２からの交付文書を印刷する手順について述べることとする。図１０の申請元端末機器８０１は交付文書データ受信部１００２で文書交付元端末機器８０２から送信されてきた文書交付元端末機器送信データ（ｉｉ）を受信すると、交付文書に付加されているパスワード２’をパスワード１’生成部１００９へと転送する。パスワード１’生成部１００９においては受信したパスワード２’と、保存してあるパスワード２とを比較し、一致した場合にはパスワード２に対応する受付番号保存部１００６に保存してある受付番号を読み出す。そして、パスワード２’から交付文書印刷用プリンタ８０３で照合するためのパスワード１’を生成する。
【００７７】
図１４はパスワード２’からパスワード１’を生成する様子の一例を示したものである。図１３で生成したパスワード２で申請元端末機器送信データ（ｉ）を送信し、文書交付元端末機器送信データ（ｉｉ）を受信した場合に対応している。なお、受付番号（１４０２）については、受信したパスワード２’に基づいて、保存されたパスワード２に対応している受付番号を読み出すこととする。本実施形態においては、式（２）のように、パスワード２’（１４０１）と受付番号（１４０２）をＸＯＲすることによりパスワード１’（１４０３）を生成することで、受付番号（１４０２）に対応したパスワード１’（１４０３）が生成される。
パスワード１’  ＜＝  （パスワード２’）  ＸＯＲ  （受付番号）・・・式（２）
図１３において設定されているパスワード１（１３０１）と図１４のパスワード１’（１４０３）とが同じ値となる様子が示されている。
【００７８】
生成されたパスワード１’はプリンタ送信データ生成部１０１２を介して、プリンタ送信データ（ｉｖ）として交付文書印刷用プリンタ８０３へと転送される。
【００７９】
交付文書印刷用プリンタ８０３では、受信データ解析部１１０１によりパスワード設定信号（３）として、パスワード比較部１１０５へと送られる。そして、保存してあるパスワード１と照合を行い、プリンタ制御部１１０６に対して照合結果を示す信号を転送する。プリンタ制御部１１０６では、この結果をプリンタステータス信号（５）としてＩ／Ｆ送信データ生成部１１０２に送信し、Ｉ／Ｆ送信データ生成部１１０２では、プリンタ送信データ（ｉｖ）として申請元端末機器８０１へと送信する。
【００８０】
申請元端末機器８０１では、プリンタ受信データ解析部１０１１において、プリンタステータス信号（５）をプリンタコントロール部１００９へと転送する。そして、照合の結果がＯＫだった場合には、申請元端末機器８０１は、交付文書印刷用プリンタ８０３に印刷データを転送することとする。プリンタコントロール部１００９においては、印刷データをプリンタの印字形式へと変換し、制御信号（ｉｉｉ）として、プリンタ送信データ作成部１０１２を介して交付文書印刷用プリンタ８０３に送信する。また、交付文書印刷用プリンタ８０３の照合がＮＧだった場合には、表示部１０１０にてそれを表示させることで、申請者にＮＧであることを知らしめることとする。
【００８１】
図１５は文書交付元端末機器送信データ（ｉｉ）を受信してから交付文書印刷用プリンタ８０３により印刷するまでの申請元端末機器８０１の動作手順を示したフローチャートである。
【００８２】
ステップＳ１５０１では文書交付元端末機器送信データ（ｉｉ）を受信する。ステップＳ１５０２では、文書交付元端末機器送信データ（ｉｉ）からパスワード２’を抜き取り、交付文書印刷用プリンタ８０３に転送するパスワード１’を生成する。
【００８３】
ステップＳ１５０３では交付文書印刷用プリンタ８０３に対してパスワード１’を送信し、ステップＳ１５０４では交付文書印刷用プリンタ８０３に送信された照合結果を判定する。
【００８４】
ステップＳ１５０４においてパスワード１’とパスワード１が一致していると判定された場合には（交付文書印刷用プリンタ８０３から照合ＯＫのプリンタステータス信号を受信した場合には）、ステップＳ１５０５に移行し、交付文書をプリンタコントロール部１００９へと送信し、交付文書印刷用プリンタ８０３にプリント制御信号を送信する。ステップＳ１５０６では、交付文書印刷用プリンタ８０３から印刷終了を示すプリンタステータス信号を受信し印刷を終了する。
【００８５】
一方、ステップＳ１５０４においてパスワード１’とパスワード１が一致していないと判定された場合には（交付文書印刷用プリンタ８０３から照合ＮＧのプリンタステータス信号を受信した場合には）、ステップＳ１５０７に移行し、エラー処理を行う。
【００８６】
＜交付文書印刷用プリンタにおける状態遷移＞
図１６は本実施形態にかかる交付文書印刷用プリンタ８０３の状態遷移図を示したものである。状態Ｓ１６０１はニュートラルの状態であり、申請元端末機器８０１からの制御信号待ちの状態を示している。状態Ｓ１６０２は申請元端末機器８０１からパスワード１設定信号（３）を受信した状態であり、受信したパスワード１を保存する。そして状態Ｓ１６０３に移行し、受付番号を生成し申請元端末機器８０１へ送信する。その後、状態Ｓ１６０１のニュートラルの状態へと遷移する。
【００８７】
状態Ｓ１６０５は交付文書を受信した申請元端末機器８０１が印刷を行うためにパスワード１’を送信してきた状態であり、保存してあるパスワード１と照合を行い、状態Ｓ１６０６へと遷移する。状態Ｓ１６０６は照合結果を申請元端末機器８０１へプリンタステータス信号として送信する状態である。照合結果が一致していなかった場合には照合ＮＧとなり、状態Ｓ１６０１のニュートラル状態へと遷移する。照合結果が一致していた場合には、照合ＯＫとなり状態Ｓ１６０７の印刷状態へと遷移する。
【００８８】
状態Ｓ１６０７の印刷状態においては申請元端末機器８０１からのプリンタ制御信号（１）を受け取り、印刷出力を行う。印刷が終了すると、状態Ｓ１６０８の印字終了状態へと遷移する。そして申請元端末機器８０１に対して印刷終了のプリンタステータス信号を送出した後に再びニュートラル状態のＳ１６０１へと遷移することで、再び初期状態に戻る。
【００８９】
なお、上記説明においては、申請データに対してパスワード１を入力し、交付文書印刷用プリンタ側でそれに対応する受付番号を生成したうえで、申請データに付加する新たなパスワード２を生成し、申請データに添付することとしたが、申請元端末機器８０１において設定したパスワード１をそのまま申請データのパスワードとして付加するようにしてもよい。
【００９０】
また、本実施形態においてはパスワード１とパスワード特定情報である受付番号からパスワード２を生成する方法の例として、ＸＯＲを用いる場合について説明したが、パスワード２とパスワード特定情報からパスワード１が特定できる方法であれば特にこれに限られるものではなく、パスワード１およびパスワード特定情報からパスワード２を生成するのに他の演算手段を用いてもよいことは言うまでもない。
【００９１】
以上の説明から明らかなように、本実施形態にかかる文書印刷システムでは、交付文書申請時に、申請元端末機器が印刷出力するプリンタ（交付文書印刷用プリンタ）に対してパスワード１を送信する一方、当該パスワード１と交付文書印刷用プリンタの受付番号とによりパスワード２を生成し、当該パスワード２を申請データに付加したうえで文書交付元端末機器に送信する。さらに、印刷出力時に、申請元端末機器では、交付文書に付加されて送信されたパスワードを解析して得られたパスワードを交付文書印刷用プリンタに送信し、交付文書印刷用プリンタでは、当該送信されたパスワードと申請時に送信されたパスワード１とが一致する場合にのみ、申請元端末機器の印刷指示を受けて当該交付文書の印刷を行う。
【００９２】
これにより、インターネットやその他の公衆電気通信網において情報が漏洩した場合においても、申請データに付加されたパスワードを保持しているプリンタを所有していない限り、印刷出力することができないため、交付文書が機密情報、重要情報となる場合においてセキュリティが高く保たれることになる効果がある。
【００９３】
また、本実施形態にかかる文書印刷システムでは、ユーザは申請元端末機器を介して該申請元端末機器に接続されている任意のプリンタを交付文書印刷用プリンタとして指定できるため、印刷出力された文書の受け取りのために特定の拠点に赴く必要性がなくなることになる。この結果、今後、各種サービスが多様化してきた場合においても、拠点の混雑による非効率化や拠点に赴くための煩わしさを回避できる。
【００９４】
［他の実施形態］
なお、本発明は、複数の機器（例えばホストコンピュータ、インタフェイス機器、リーダ、プリンタなど）から構成されるシステムに適用しても、一つの機器からなる装置（例えば、複写機、ファクシミリ装置など）に適用してもよい。
【００９５】
また、本発明の目的は、前述した実施形態の機能を実現するソフトウェアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、達成されることは言うまでもない。
【００９６】
この場合、記憶媒体から読出されたプログラムコード自体が前述した実施形態の機能を実現することになり、そのプログラムコードを記憶した記憶媒体は本発明を構成することになる。
【００９７】
プログラムコードを供給するための記憶媒体としては、例えば、フロッピ（登録商標）ディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【００９８】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【００９９】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【図面の簡単な説明】
【０１００】
【図１】本発明の第１の実施形態にかかる文書印刷システムを示した図である。
【図２】申請元端末機器送信データ、文書交付元端末機器送信データ、ならびに交付文書の構成を示した図である。
【図３】申請元端末機器が申請元端末機器送信データを送信する手順を示したフローチャートである。
【図４】文書交付元端末機器が文書交付元端末機器送信データを送信する手順を示したフローチャートである。
【図５】申請元端末機器が交付文書を印刷する手順を示したフローチャートである。
【図６】交付文書印刷用プリンタの状態遷移図である。
【図７】交付文書印刷用プリンタの機能ブロック図である。
【図８】本発明の第２の実施形態にかかる文書印刷システムの構成を示す図である。
【図９】本発明の第２の実施形態にかかる文書印刷システムにおける処理の流れを示すフローチャートである。
【図１０】申請元端末機器の構成およびデータの流れを示した図である。
【図１１】交付文書印刷用プリンタの構成およびデータの流れを示した図である。
【図１２】申請元端末機器送信データを送信するまでの申請元端末機器の動作手順を示したフローチャートである。
【図１３】パスワード１および受付番号からパスワード２を生成する様子の一例である。
【図１４】パスワード２’からパスワード１’を生成する様子の一例である。
【図１５】交付文書を受信してから交付文書印刷用プリンタにより印刷するまでの申請元端末機器の動作手順を示したフローチャートである。
【図１６】交付文書印刷用プリンタの状態遷移図である。
【図１】
2006099680.tif 000003
【図２】
2006099680.tif 000004
【図３】
2006099680.tif 000005
【図４】
2006099680.tif 000006
【図５】
2006099680.tif 000007
【図６】
2006099680.tif 000008
【図７】
2006099680.tif 000009
【図８】
2006099680.tif 000010
【図９】
2006099680.tif 000011
【図１０】
2006099680.tif 000012
【図１１】
2006099680.tif 000013
【図１２】
2006099680.tif 000014
【図１３】
2006099680.tif 000015
【図１４】
2006099680.tif 000016
【図１５】
2006099680.tif 000017
【図１６】
2006099680.tif 000018